(57)【要約】【課題】自車位置の近くに住所を有する所望の連絡相手への連絡を簡便かつ迅速に行うことができ、利便性および運転の安全性を向上させることができる「車載用通信装置」を提供すること。【解決手段】第１の連絡先抽出手段３１により、連絡先記憶手段４，１８に記憶された連絡先の中から、自車位置の近くの領域内に住所を有するとみなされる連絡相手の連絡先である第１の連絡先を抽出し、連絡先表示制御手段３２の制御により、第１の連絡先抽出手段３１によって抽出された前記第１の連絡先を連絡先表示手段２５によって優先的に表示すること。【選択図】図３
2010288195.tif 000002
【特許請求の範囲】
【請求項１】
連絡相手の連絡先が記憶された連絡先記憶手段と、
この連絡先記憶手段に記憶された前記連絡先を選択可能な状態で表示部に表示する連絡先表示手段と、
この連絡先表示手段によって表示された前記連絡先の中から選択された前記連絡先に対する連絡を行うことが可能とされた通信手段と
を備えた車載用通信装置であって、
住所を含む地図データが記憶された地図データ記憶手段と、
自車位置を検出する自車位置検出手段と、
この自車位置検出手段によって検出された前記自車位置に該当する住所である自車位置該当住所を、前記地図データ記憶手段に記憶された前記地図データから抽出する自車位置該当住所抽出手段と、
この自車位置該当住所抽出手段によって抽出された前記自車位置該当住所を、前記連絡先記憶手段に前記連絡先に対応した状態で前記連絡先とともに記憶された前記連絡相手の住所である連絡先対応住所と比較することにより、前記連絡先記憶手段に記憶された前記連絡先の中から、前記自車位置の近くの領域内に住所を有するとみなされる前記連絡相手の連絡先である第１の連絡先を抽出する第１の連絡先抽出手段と、
この第１の連絡先抽出手段によって前記第１の連絡先が抽出された場合に、前記連絡先表示手段に対して、前記第１の連絡先抽出手段によって抽出された前記第１の連絡先を優先的に表示するための制御を行う連絡先表示制御手段と
を備えたことを特徴とする車載用通信装置。
【請求項２】
前記第１の連絡先抽出手段は、前記連絡先記憶手段に記憶された前記連絡先のうち、前記自車位置該当住所に対する前記連絡先対応住所の住所名の近似の程度が所定の第１の程度以上となるような前記連絡先を、前記第１の連絡先として抽出すること
を特徴とする請求項１に記載の車載用通信装置。
【請求項３】
前記第１の連絡先抽出手段によって抽出された前記第１の連絡先の件数が所定件数よりも多くなる場合に、前記自車位置該当住所を前記第１の連絡先に対応する前記連絡先対応住所と比較することにより、前記第１の連絡先の中から、前記自車位置のより近くの領域内に住所を有するとみなされる前記連絡相手の連絡先である第２の連絡先を抽出する第２の連絡先抽出手段を備え、
前記連絡先表示制御手段は、前記第２の連絡先抽出手段によって前記第２の連絡先が抽出された場合には、前記連絡先表示手段に対して前記第２の連絡先を優先的に表示するための制御を行うこと
を特徴とする請求項１または請求項２に記載の車載用通信装置。
【請求項４】
前記第１の連絡先抽出手段は、前記連絡先記憶手段に記憶された前記連絡先のうち、前記自車位置該当住所に対する前記連絡先対応住所の住所名の近似の程度が所定の第１の程度以上となるような前記連絡先を、前記第１の連絡先として抽出し、
前記第２の連絡先抽出手段は、前記第１の連絡先のうち、前記自車位置該当住所に対する前記連絡先対応住所の住所名の近似の程度が前記第１の程度よりも高い所定の第２の程度以上となるような前記第１の連絡先を、前記第２の連絡先として抽出すること
を特徴とする請求項３に記載の車載用通信装置。
【請求項５】
前記第１の連絡先の優先的な表示が行われた後において、前記自車位置該当住所を前記連絡先対応住所と比較することにより、前記連絡先記憶手段に記憶された前記連絡先の中から、前記自車位置の近くの領域よりも広域にわたる前記自車位置の周辺の領域内に住所を有するとみなされる前記連絡相手の連絡先である第３の連絡先を抽出可能とされた第３の連絡先抽出手段を備え、
前記連絡先表示制御手段は、前記第３の連絡先抽出手段によって前記第３の連絡先が抽出された場合には、前記連絡先表示手段に対して前記第３の連絡先を優先的に表示するための制御を行うこと
を特徴とする請求項１乃至請求項４のいずれか１項に記載の車載用通信装置。
【請求項６】
前記第１の連絡先抽出手段は、前記連絡先記憶手段に記憶された前記連絡先のうち、前記自車位置該当住所に対する前記連絡先対応住所の住所名の近似の程度が所定の第１の程度以上となるような前記連絡先を、前記第１の連絡先として抽出し、
前記第３の連絡先抽出手段は、前記第１の連絡先のうち、前記自車位置該当住所に対する前記連絡先対応住所の住所名の近似の程度が前記第１の程度よりも低い所定の第３の程度以上となるような前記第１の連絡先を前記第３の連絡先として抽出すること
を特徴とする請求項５に記載の車載用通信装置。
【請求項７】
前記地図データ記憶手段に記憶された前記地図データには、郵便番号が含まれており、
前記自車位置検出手段によって検出された前記自車位置に該当する郵便番号である自車位置該当郵便番号を、前記地図データ記憶手段に記憶された前記地図データから抽出する自車位置該当郵便番号抽出手段を備え、
前記連絡先記憶手段に記憶された前記連絡先対応住所の件数が所定件数よりも少ない場合に、前記自車位置該当郵便番号抽出手段によって抽出された前記自車位置該当郵便番号を、前記連絡先記憶手段に前記連絡先に対応した状態で前記連絡先とともに記憶された前記連絡相手の郵便番号である連絡先対応郵便番号と比較することにより、前記連絡先記憶手段に記憶された前記連絡先の中から、前記自車位置該当郵便番号と一致する前記連絡先対応郵便番号に対応する前記連絡先である第４の連絡先を抽出する第４の連絡先抽出手段を備え、
前記連絡先表示制御手段は、前記第４の連絡先抽出手段によって前記第４の連絡先が抽出された場合には、前記連絡先表示手段に対して前記第４の連絡先を優先的に表示するための制御を行うこと
を特徴とする請求項１乃至請求項６のいずれか１項に記載の車載用通信装置。
【請求項８】
前記連絡先は、前記連絡相手の電話番号を含み、
前記通信手段は、前記電話番号に対する電話による連絡が可能とされた電話手段を備えたこと
を特徴とする請求項１乃至請求項７のいずれか１項に記載の車載用通信装置。
【請求項９】
前記連絡先は、前記連絡相手の電子メールアドレスを含み、
前記通信手段は、前記電子メールアドレスに対する電子メールによる連絡が可能とされた電子メール手段を備えたこと
を特徴とする請求項１乃至請求項８のいずれか１項に記載の車載用通信装置。
【発明の詳細な説明】
【技術分野】
【０００１】
本発明は、車載用通信装置に係り、特に、乗車中に連絡相手への連絡を行うのに好適な車載用通信装置に関する。
【背景技術】
【０００２】
従来から、車載器には、運転中における通話相手との通話を安全かつ合法的に行うための手段として、電話機を把持しない状態で通話相手との通話を行うハンズフリー通話が可能とされた車載用ハンズフリー通話装置が採用されていた。
【０００３】
このような車載用ハンズフリー通話装置においては、この通話装置本体に予め登録されている電話帳や通話装置本体に接続されている携帯電話機から読み込まれた電話帳を例えば５０音順で車内のモニタに表示し、表示された電話帳の中からユーザが選択した所望の電話番号に対する発信を行うようになっていた。
【先行技術文献】
【特許文献】
【０００４】
【特許文献１】特開平１１−２８７６６０号公報
【特許文献２】特開２００６−２３２１１号公報
【発明の概要】
【発明が解決しようとする課題】
【０００５】
ところで、知人宅に知人を車で迎えに行った際には、車載用ハンズフリー通話装置によって知人宅の近辺において知人宅に到着を知らせる電話をかけたい場合があるが、従来は、多数件の電話番号が登録された電話帳の中から乗車中に所望の電話番号を探すといった煩雑かつ危険をともなう操作を強いられる場合があった。
【０００６】
そこで、本発明は、このような点に鑑みなされたものであり、自車位置の近辺に住所を有する所望の連絡相手への連絡を簡便かつ迅速に行うことができ、利便性および運転の安全性を向上させることができる車載用通信装置を提供することを目的とするものである。
【課題を解決するための手段】
【０００７】
前述した目的を達成するため、本発明に係る車載用通信装置は、連絡相手の連絡先が記憶された連絡先記憶手段と、この連絡先記憶手段に記憶された前記連絡先を選択可能な状態で表示部に表示する連絡先表示手段と、この連絡先表示手段によって表示された前記連絡先の中から選択された前記連絡先に対する連絡を行うことが可能とされた通信手段とを備えた車載用通信装置であって、住所を含む地図データが記憶された地図データ記憶手段と、自車位置を検出する自車位置検出手段と、この自車位置検出手段によって検出された前記自車位置に該当する住所である自車位置該当住所を、前記地図データ記憶手段に記憶された前記地図データから抽出する自車位置該当住所抽出手段と、この自車位置該当住所抽出手段によって抽出された前記自車位置該当住所を、前記連絡先記憶手段に前記連絡先に対応した状態で前記連絡先とともに記憶された前記連絡相手の住所である連絡先対応住所と比較することにより、前記連絡先記憶手段に記憶された前記連絡先の中から、前記自車位置の近くの領域内に住所を有するとみなされる前記連絡相手の連絡先である第１の連絡先を抽出する第１の連絡先抽出手段と、この第１の連絡先抽出手段によって前記第１の連絡先が抽出された場合に、前記連絡先表示手段に対して、前記第１の連絡先抽出手段によって抽出された前記第１の連絡先を優先的に表示するための制御を行う連絡先表示制御手段とを備えたことを特徴としている。
【０００８】
そして、このような構成によれば、連絡先表示制御手段の制御により、連絡先表示手段によって第１の連絡先を優先的に表示することができるので、自車位置の近くに住所を有する所望の連絡相手への連絡を簡便かつ迅速に行うことができ、利便性および運転の安全性を向上させることができる。
【０００９】
また、前記第１の連絡先抽出手段は、前記連絡先記憶手段に記憶された前記連絡先のうち、前記自車位置該当住所に対する前記連絡先対応住所の住所名の近似の程度が所定の第１の程度以上となるような前記連絡先を、前記第１の連絡先として抽出してもよい。
【００１０】
そして、このような構成によれば、第１の連絡先を簡便に抽出することができるので、第１の連絡先を迅速に表示することができる。
【００１１】
さらに、前記第１の連絡先抽出手段によって抽出された前記第１の連絡先の件数が所定件数よりも多くなる場合に、前記自車位置該当住所を前記第１の連絡先に対応する前記連絡先対応住所と比較することにより、前記第１の連絡先の中から、前記自車位置のより近くの領域内に住所を有するとみなされる前記連絡相手の連絡先である第２の連絡先を抽出する第２の連絡先抽出手段を備え、前記連絡先表示制御手段は、前記第２の連絡先抽出手段によって前記第２の連絡先が抽出された場合には、前記連絡先表示手段に対して前記第２の連絡先を優先的に表示するための制御を行ってもよい。
【００１２】
そして、このような構成によれば、第１の連絡先の件数が多い場合には、この第１の連絡先の中から絞られた第２の連絡先を優先的に表示することができるので、自車位置のより近辺に住所を有する所望の連絡相手への連絡を簡便かつ迅速に行うことができる。
【００１３】
さらにまた、前記第１の連絡先抽出手段は、前記連絡先記憶手段に記憶された前記連絡先のうち、前記自車位置該当住所に対する前記連絡先対応住所の住所名の近似の程度が所定の第１の程度以上となるような前記連絡先を、前記第１の連絡先として抽出し、前記第２の連絡先抽出手段は、前記第１の連絡先のうち、前記自車位置該当住所に対する前記連絡先対応住所の住所名の近似の程度が前記第１の程度よりも高い所定の第２の程度以上となるような前記第１の連絡先を、前記第２の連絡先として抽出してもよい。
【００１４】
そして、このような構成によれば、第２の連絡先を簡便に抽出することができるので、第２の連絡先を迅速に表示することができる。
【００１５】
また、前記第１の連絡先の優先的な表示が行われた後において、前記自車位置該当住所を前記連絡先対応住所と比較することにより、前記連絡先記憶手段に記憶された前記連絡先の中から、前記自車位置の近くの領域よりも広域にわたる前記自車位置の周辺の領域内に住所を有するとみなされる前記連絡相手の連絡先である第３の連絡先を抽出可能とされた第３の連絡先抽出手段を備え、前記連絡先表示制御手段は、前記第３の連絡先抽出手段によって前記第３の連絡先が抽出された場合には、前記連絡先表示手段に対して前記第３の連絡先を優先的に表示するための制御を行ってもよい。
【００１６】
そして、このような構成によれば、例えば、第１の連絡先の件数が少ない場合には、第３の連絡先を優先的に表示することができるので、自車位置の周辺に住所を有する所望の連絡相手への連絡を簡便かつ迅速に行うことができる。
【００１７】
さらに、前記第１の連絡先抽出手段は、前記連絡先記憶手段に記憶された前記連絡先のうち、前記自車位置該当住所に対する前記連絡先対応住所の住所名の近似の程度が所定の第１の程度以上となるような前記連絡先を、前記第１の連絡先として抽出し、前記第３の連絡先抽出手段は、前記第１の連絡先のうち、前記自車位置該当住所に対する前記連絡先対応住所の住所名の近似の程度が前記第１の程度よりも低い所定の第３の程度以上となるような前記第１の連絡先を前記第３の連絡先として抽出してもよい。
【００１８】
そして、このような構成によれば、第３の連絡先を簡便に抽出することができるので、第３の連絡先を迅速に表示することができる。
【００１９】
さらにまた、前記地図データ記憶手段に記憶された前記地図データには、郵便番号が含まれており、前記自車位置検出手段によって検出された前記自車位置に該当する郵便番号である自車位置該当郵便番号を、前記地図データ記憶手段に記憶された前記地図データから抽出する自車位置該当郵便番号抽出手段を備え、前記連絡先記憶手段に記憶された前記連絡先対応住所の件数が所定件数よりも少ない場合に、前記自車位置該当郵便番号抽出手段によって抽出された前記自車位置該当郵便番号を、前記連絡先記憶手段に前記連絡先に対応した状態で前記連絡先とともに記憶された前記連絡相手の郵便番号である連絡先対応郵便番号と比較することにより、前記連絡先記憶手段に記憶された前記連絡先の中から、前記自車位置該当郵便番号と一致する前記連絡先対応郵便番号に対応する前記連絡先である第４の連絡先を抽出する第４の連絡先抽出手段を備え、前記連絡先表示制御手段は、前記第４の連絡先抽出手段によって前記第４の連絡先が抽出された場合には、前記連絡先表示手段に対して前記第４の連絡先を優先的に表示するための制御を行ってもよい。
そして、このような構成によれば、連絡先記憶手段に記憶されている連絡先対応住所の件数が少ない場合には、第４の連絡先を優先的に表示することができるので、自車位置と郵便番号が一致する連絡相手への連絡を簡便かつ迅速に行うことができる。
【００２０】
また、前記連絡先は、前記連絡相手の電話番号を含み、前記通信手段は、前記電話番号に対する電話による連絡が可能とされた電話手段を備えるようにしてもよい。
【００２１】
そして、このような構成によれば、自車位置の近くに住所を有する所望の連絡相手への電話連絡を簡便かつ迅速に行うことができる。
【００２２】
さらに、前記連絡先は、前記連絡相手の電子メールアドレスを含み、前記通信手段は、前記電子メールアドレスに対する電子メールによる連絡が可能とされた電子メール手段を備えるようにしてもよい。
【００２３】
そして、このような構成によれば、自車位置の近くに住所を有する所望の連絡相手への電子メールによる連絡を簡便かつ迅速に行うことができる。
【発明の効果】
【００２４】
本発明によれば、自車位置の近くに住所を有する所望の連絡相手への連絡を簡便かつ迅速に行うことができ、利便性および運転の安全性を向上させることができる。
【図面の簡単な説明】
【００２５】
【図１】本発明に係る車載用通信装置の実施形態を示すハードウェア構成図
【図２】本発明に係る車載用通信装置の実施形態において、連絡先記憶手段に記憶されている連絡先を示す概念図
【図３】本発明に係る車載用通信装置の実施形態において、ＣＰＵの具体的な構成を示す機能ブロック図
【図４】本発明に係る車載用通信装置の実施形態において、連絡先のリスト画面を示す模式図
【図５】本発明に係る車載用通信装置の実施形態において、車載用通信装置の動作を画面遷移とともに示す動作工程図
【発明を実施するための形態】
【００２６】
以下、本発明に係る車載用通信装置の実施形態について、図１乃至図５を参照して説明する。
【００２７】
図１に示すように、本実施形態における車載用通信装置１は、大別して、車載器本体２と、この車載器本体２に有線（ＵＳＢ等）または無線（bluetooth（登録商標）等）を介して接続された携帯電話機３とによって構成されている。
【００２８】
車載器本体２は、車載用ナビゲーション装置としての機能、ハンズフリー通話装置としての機能および電子メール送受信装置としての機能を有している。
【００２９】
携帯電話機３は、通信手段の一部を構成するようになっている。また、携帯電話機３は、連絡先記憶手段としての内蔵されたメモリ４を有しており、このメモリ４には、図２に示すような電話帳が記憶されている。なお、図２の電話帳には、複数人の連絡相手の連絡先として、各連絡相手の電話番号および各連絡相手のメールアドレスが、各連絡相手の名称（図２においては名前）、各連絡相手の住所および各連絡相手の郵便番号等と対応した状態で格納されている。ここで、図２の電話帳における住所は、連絡先記憶手段（メモリ４）に連絡先に対応した状態で連絡先とともに記憶された連絡相手の住所である連絡先対応住所となる。また、図２の電話帳における郵便番号は、連絡先記憶手段（メモリ４）に連絡先に対応した状態で連絡先とともに記憶された連絡相手の郵便番号である連絡先対応郵便番号となる。このような電話帳は、携帯電話機の公知の電話帳登録機能によって各連絡相手ごとに個別に登録されたものであってもよい。
【００３０】
図１に戻って、車載器本体２は、大別して、本体メインユニット５と、この本体メインユニット５にそれぞれ接続されたＧＰＳレシーバ６、自律航法センサ７、入力操作部８、ディスプレイ１０、スピーカ１１およびマイク１２とによって構成されている。
【００３１】
ＧＰＳレシーバ６は、図示しないＧＰＳ衛星から配信されるＧＰＳ情報（時刻や軌道に関する情報）を受信し、受信したＧＰＳ情報を本体メインユニット５側に出力するようになっている。
【００３２】
自律航法センサ７は、自車両の加速度、車速および自車方位等を検出し、検出結果を本体メインユニット５側に出力するようになっている。この自律航法センサ７は、ジャイロセンサや車速センサ（車速パルス）等からなるものであってもよい。
【００３３】
入力操作部８は、車載器本体２に対する種々の入力操作に用いられるようになっている。この入力操作部８は、リモコン、ディスプレイ１０のタッチパネル、リニアエンコーダまたはロータリエンコーダ等であってもよい。
【００３４】
次に、本体メインユニット５について詳述すると、図１に示すように、本体メインユニット５は、システムバス１４にそれぞれ接続されたＣＰＵ１５、ＲＯＭ１６、ＲＡＭ１７、ハードディスクドライブ（ＨＤＤ）１８、ユーザインターフェース（Ｉ／Ｆ）１９、画像インターフェース（Ｉ／Ｆ）２０、音声インターフェース（Ｉ／Ｆ）２１および携帯電話インターフェース（Ｉ／Ｆ）２２によって構成されている。なお、ユーザインターフェース１９には入力操作部８が、画像インターフェース２０にはディスプレイ１０が、音声インターフェース２１にはスピーカ１１およびマイク１２がそれぞれ接続されている。
【００３５】
ここで、ＣＰＵ１５は、車載用ナビゲーション装置としての機能、ハンズフリー通話装置としての機能および電子メール送受信装置としての機能等の車載器本体２の各種の機能を実行するようになっている。
【００３６】
また、ＲＯＭ１６には、ＣＰＵ１５の実行プログラムが記憶されており、ＣＰＵ１５は、この実行プログラムを実行することによって車載器本体２の機能を実行するようになっている。
【００３７】
さらに、ＲＡＭ１７は、ＣＰＵ１５による処理結果等のデータの一時的な保存等に用いられるようになっている。
【００３８】
さらにまた、ハードディスクドライブ１８は、地図データ記憶手段として機能するようになっており、このハードディスクドライブ１８には、地図データが記憶されている。地図データは、例えば、道路データ（形状補間点、セグメント、リンク、ノード、リンク列、道路名称、通行条件および交通看板等を構成要素とするデータ）、背景データ（点、ポリライン、ポリゴンおよびテキスト等を構成要素とするデータ）、道路ネットワークデータ（ノード、リンクおよび通行条件等を構成要素とするデータ）および検索データ（エリア名称、住所、郵便番号およびＰＯＩ（Points Of Interest)等を構成要素とするデータ）によって構成されている。このように構成された地図データは、ＣＰＵ１５の各種の機能の実行に適宜用いられるようになっている。
【００３９】
次に、ＣＰＵ１５について詳述すると、図３に示すように、ＣＰＵ１５は、その機能ブロックの１つとして、電話帳登録部２４を有している。この電話帳登録部２４は、電話帳を入力するための操作画面をディスプレイ１０に表示した上で、表示された当該操作画面に対してユーザが入力操作部８を用いて入力した電話帳をハードディスクドライブ１８に登録するようになっている。このハードディスクドライブ１８に登録される電話帳は、図２に示したものと同様に、連絡相手の電話番号および連絡相手のメールアドレスが、連絡相手の名称、前記連絡先対応住所および前記連絡先対応郵便番号等と対応した状態で格納されたものである。すなわち、ハードディスクドライブ１８は、連絡先記憶手段としても機能するようになっている。なお、電話帳登録部２４は、携帯電話機３から車載器本体２側に読み込まれた電話帳をハードディスクドライブ１８に登録可能とされたものであってもよい。
【００４０】
また、図３に示すように、ＣＰＵ１５は、その機能ブロックの１つとして、連絡先表示手段としての連絡先描画部２５を有している。この連絡先描画部２５は、携帯電話機３のメモリ４またはハードディスクドライブ１９に記憶された電話帳内の連絡相手の連絡先をユーザが入力操作部８を用いて選択可能な状態でディスプレイ１０に表示するようになっている。例えば、図４に示すように、連絡先描画部２５は、連絡相手の連絡先（図４においては、電話番号およびメールアドレス）を、連絡相手の名称（図４における名前）と対応させたリスト画面２６として表示してもよい。なお、この図４のリスト画面２６は、タッチパネルのタッチ操作等によって画面２６内の各連絡相手の電話番号またはメールアドレスが表記された項目２６ａ，２６ｂを択一的に選択可能とされた操作画面の機能を有している。また、リスト画面２６には、スクロールバー２６ｃが表示されており、このスクロールバー２６ｃを入力操作部８を用いて操作することによって、現在表示されている数件の連絡先の前後の他の連絡先を表示させることができるようになっている。
【００４１】
図３に戻って、ＣＰＵ１５は、その機能ブロックの１つとして、携帯電話機３とともに通信手段を構成する電話手段としてのハンズフリー通話処理部２７を有している。このハンズフリー通話処理部２７は、連絡先描画部２５によって表示された連絡先の中からユーザが選択した電話番号に対するハンズフリー通話（電話）による連絡を許容するようになっている。すなわち、ハンズフリー通話処理部２７は、ユーザによって選択された電話番号に対する発信（発呼）を行うことによって、ユーザが、連絡相手との間で、携帯電話機３、スピーカ１１およびマイク１２を介したハンズフリー通話による通話状態を確保することが可能とされている。
【００４２】
また、図３に示すように、ＣＰＵ１５は、その機能ブロックの１つとして、携帯電話機３およびハンズフリー通話処理部２７とともに通信手段を構成する電子メール手段としての電子メール送受信処理部２８を有している。この電子メール送受信処理部２８は、連絡先描画部２５によって表示された連絡先の中からユーザが選択したメールアドレスに対して、携帯電話機３を介した電子メールの送信による連絡を行うことが可能とされている。なお、乗車中に電子メールを一文字ずつ作成することは危険をともなう場合があるので、電子メール送受信処理部２８は、予め作成されている複数の短文を選択可能な状態でディスプレイ１０に表示した上で、表示された複数の短文の中からユーザが入力操作部８を用いて選択した短文を送信するようにしてもよい。この場合に、短文は、例えば、「間もなく到着するよ」等の短文であってもよい。また、この短文は、車載器本体５においてデフォルトで用意されたものであってもよいし、ユーザが任意に作成してハードディスクドライブ１８等に格納可能なものであってもよい。なお、電子メール送受信処理部２８は、連絡相手等から車載器本体２のメールアドレスに対して送信された電子メールを受信可能とされている。
【００４３】
さらに、図３に示すように、ＣＰＵ１５は、その機能ブロックの１つとして、自車位置検出手段としての自車位置算出部２９を有しており、この自車位置算出部２９には、ＧＰＳレシーバ６から出力されたＧＰＳ情報および自律航法センサ７から出力された検出結果が入力されるようになっている。そして、自車位置算出部２９は、ＧＰＳレシーバ６側から入力されたＧＰＳ情報に基づいて、自車位置を絶対座標として算出（検出）する衛星航法を行うようになっている。また、自車位置算出部２９は、自律航法センサ７側から入力された検出結果に基づいて、自車位置を前回の測位位置からの変化分である相対位置として算出（検出）する自律航法を行うようになっている。さらに、自車位置算出部２９は、ハードディスクドライブ１８に記憶されている地図データを用いることによって、衛星航法または自律航法によって算出された自車位置を地図データにおける該当する道路上の位置に補正するマップマッチング処理を行うようになっている。そして、自車位置算出部１８は、マップマッチング処理が適正に行われた場合には、マップマッチング処理後の自車位置を最終的な算出結果とするようになっている。
【００４４】
さらにまた、図３に示すように、ＣＰＵ１５は、その機能ブロックの１つとして、自車位置該当住所抽出手段としての自車位置該当住所抽出部３０を有している。この自車位置該当住所抽出部３０は、自車位置算出部２９によって算出された自車位置に該当する住所である自車位置該当住所を、ハードディスクドライブ１８に記憶された地図データ（具体的には、前述した検索データ）から抽出するようになっている。
【００４５】
また、図３に示すように、ＣＰＵ１５は、その機能ブロックの１つとして、第１の連絡先抽出手段としての機能を備えた連絡先抽出部３１を有している。この連絡先抽出部３１は、ユーザが入力操作部８を用いて自車位置の近くに住所を有する携帯電話機３内の電話帳に登録された連絡相手の連絡先を優先的に表示するための入力操作を行った場合には、自車位置該当住所抽出部３０によって抽出された前記自車位置該当住所を、携帯電話機３のメモリ４に記憶された前記連絡先対応住所と比較するようになっている。これにより、連絡先抽出部３１は、メモリ４に記憶された連絡先の中から、自車位置の近くの領域内に住所を有するとみなされる連絡相手の連絡先である第１の連絡先を抽出するようになっている。また、連絡先抽出部３１は、ユーザが入力操作部８を用いて自車位置の近くに住所を有する車載器本体２内の電話帳に登録された連絡相手の連絡先を優先的に表示するための入力操作を行った場合には、自車位置該当住所抽出部３０によって抽出された前記自車位置該当住所をハードディスクドライブ１８に記憶された前記連絡先対応住所と比較するようになっている。これにより、連絡先抽出部３１は、ハードディスクドライブ１８に記憶された連絡先の中から前記第１の連絡先を抽出するようになっている。
【００４６】
以下、便宜上、特に言及しない限りはメモリ４とハードディスクドライブ１８とを連絡先記憶手段４，１８と称する。
【００４７】
さらに、図３に示すように、ＣＰＵ１５は、その機能ブロックの１つとして、連絡先表示制御手段としての連絡先描画制御部３２を有している。この連絡先描画制御部３２は、連絡先抽出部３１によって連絡先記憶手段４，１８から前記第１の連絡先が抽出された場合には、連絡先描画部２５に対して、抽出された前記第１の連絡先を優先的に表示するための制御を行うようになっている。この制御は、抽出された前記第１の連絡先のみを図４と同様のリスト画面として限定的に表示するための制御であってもよく、あるいは、前記第１の連絡先を電話帳内の連絡先のリスト画面の先頭側に表示するための制御であってもよい。
【００４８】
そして、このような連絡先描画制御部３２の制御を受けて、連絡先描画部２５は、連絡先抽出部３１によって連絡先記憶手段４，１８から抽出された前記第１の連絡先を優先的に表示するようになっている。これにより、ユーザは、表示された前記第１の連絡先の中から自車位置の近辺に住所を有する所望の連絡相手の連絡先を即時に把握することができ、把握した連絡先を選択することによって、所望の連絡相手への連絡を簡便かつ迅速に行うことができる。
【００４９】
上記構成に加えて、さらに、連絡先抽出部３１は、連絡先記憶手段４，１８に記憶された連絡先のうち、前記自車位置該当住所に対する前記連絡先対応住所の住所名の近似の程度が所定の第１の程度以上となるような連絡先を前記第１の連絡先として抽出するようにしてもよい。ここで、日本の住所名は、都道府県の階層（第１の階層）、市町村の階層（第２階層）、大字・町・丁目の階層（第３階層）、番地の階層（第４の階層）および号の階層（第５の階層）といった階層構造を有している。そして、連絡先抽出部３１が前記第１の連絡先を抽出する際の基準となる前記第１の程度は、前記自車位置該当住所の住所名と前記連絡先対応住所の住所名とが前記第１の階層から前記第５の階層に向かって順にいずれの階層まで互いに一致するかを示すものであってもよい。このように構成すれば、前記第１の連絡先を簡便に抽出することができるので、前記第１の連絡先を迅速に表示することができる。
【００５０】
上記構成に加えて、さらに、連絡先抽出部３１によって連絡先記憶手段４，１８から抽出された前記第１の連絡先の件数が所定件数よりも多くなる場合には、連絡先抽出部３１を第２の連絡先抽出手段として機能させるようにしてもよい。この場合には、連絡先抽出部３１は、前記自車位置該当住所を連絡先記憶手段４，１８から抽出された前記第１の連絡先に対応する前記連絡先対応住所と比較することにより、連絡先記憶手段４，１８から抽出された前記第１の連絡先の中から、自車位置のより近くの領域内に住所を有するとみなされる連絡相手の連絡先である第２の連絡先を抽出する。そして、連絡先抽出部３１によって前記第２の連絡先が抽出された場合には、連絡先描画制御部３２は、連絡先描画部２５に対して前記第２の連絡先を優先的に表示するための制御を行う。この制御は、抽出された前記第２の連絡先のみを図４と同様のリスト画面として限定的に表示するための制御であってもよく、あるいは、前記第２の連絡先を電話帳内の連絡先のリスト画面の先頭側に表示するための制御であってもよい。そして、このような前記第２の連絡先を優先的に表示するための制御により、連絡先描画部２５は、連絡先抽出部３１によって抽出された前記第２の連絡先を優先的に表示する。これにより、前記第１の連絡先の件数が多い場合には、その中から絞られた前記第２の連絡先を優先的に表示することができるので、自車位置のより近くに住所を有する所望の連絡相手への連絡を簡便かつ迅速に行うことができる。なお、前記第２の連絡先の抽出は、前記第１の連絡先の件数が所定件数を超える場合に自動的に行うようにしてもよいし、優先的に表示される連絡先を自車位置により近い連絡先に絞り込む旨の指令を入力可能とされた操作ボタンを表示した上で、この操作ボタンの操作を待って行うようにしてもよい。
【００５１】
上記構成に加えて、さらに、連絡先抽出部３１は、前記第１の連絡先のうち、前記自車位置該当住所に対する前記連絡先対応住所の住所名の近似の程度が前記第１の程度よりも高い所定の第２の程度以上となるような前記第１の連絡先を、前記第２の連絡先として抽出してもよい。例えば、前記第１の程度が、前記自車位置該当住所と前記連絡先対応住所との住所名が前記第１の階層〜前記第３の階層まで一致する旨である場合には、前記第２の程度は、前記自車位置該当住所と前記連絡先対応住所との住所名が前記第１の階層〜前記第４の階層まで一致する旨としてもよい。このように構成すれば、前記第２の連絡先を簡便に抽出することができるので、前記第２の連絡先を迅速に表示することができる。
【００５２】
上記構成に加えて、さらに、前記第１の連絡先の優先的な表示が行われた後において、連絡先抽出部３１を第３の連絡先抽出手段として機能させるようにしてもよい。この場合に、連絡先抽出部３１は、前記自車位置該当住所を連絡先記憶手段４，１８に記憶された前記連絡先対応住所と比較することにより、連絡先記憶手段４，１８に記憶された前記連絡先の中から前記第３の連絡先を抽出する。ただし、前記第３の連絡先は、連絡先記憶手段４，１８に記憶された前記連絡先のうちの自車位置の近くの領域よりも広域にわたる自車位置の周辺の領域内に住所を有するとみなされる連絡相手の連絡先である。この第３の連絡先には、前記第１の連絡先が含まれている。そして、連絡先抽出部３１によって前記第３の連絡先が抽出された場合には、連絡先描画制御部３２は、連絡先描画部２５に対して前記第３の連絡先を優先的に表示するための制御を行う。この制御は、抽出された前記第３の連絡先のみを図４と同様のリスト画面として限定的に表示するための制御であってもよく、あるいは、前記第３の連絡先を電話帳内の連絡先のリスト画面の先頭側に表示するための制御であってもよい。そして、このような前記第３の連絡先を優先的に表示するための制御により、連絡先描画部２５は、連絡先抽出部３１によって抽出された前記第３の連絡先を優先的に表示する。これにより、例えば、前記第１の連絡先の件数が少ない場合には、前記第１の連絡先に対応する前記連絡先対応住所よりも広域にわたるような前記連絡先対応住所に対応する前記第３の連絡先を優先的に表示することができるので、自車位置の周辺に住所を有する所望の連絡相手への連絡を簡便かつ迅速に行うことができる。なお、前記第３の連絡先の抽出は、前記第１の連絡先の表示画面上に、表示する連絡先を広域に広げる旨の指令を入力可能とされた操作ボタンを表示した上で、この操作ボタンの操作を待って行うようにすればよい。
【００５３】
上記構成に加えて、さらに、連絡先抽出部３１は、前記第１の連絡先のうち、前記自車位置該当住所に対する前記連絡先対応住所の住所名の近似の程度が前記第１の程度よりも低い所定の第３の程度以上となるような前記第１の連絡先を前記第３の連絡先として抽出するようにしてもよい。例えば、前記第１の程度が、前記自車位置該当住所と前記連絡先対応住所との住所名が前記第１の階層〜前記第３の階層まで一致する旨である場合には、前記第３の程度は、前記自車位置該当住所と前記連絡先対応住所との住所名が前記第１の階層〜前記第２の階層まで一致する旨としてもよい。このように構成すれば、前記第３の連絡先を簡便に抽出することができるので、前記第３の連絡先を迅速に表示することができる。
【００５４】
上記構成に加えて、さらに、ＣＰＵ１５に、自車位置算出部２９によって算出された自車位置に該当する郵便番号である自車位置該当郵便番号をハードディスクドライブ１８に記憶された地図データ（検索データ）から抽出する自車位置該当郵便番号抽出手段を設けるようにしてもよい。また、この場合には、連絡先抽出部３１を第４の連絡先抽出手段として機能させる。すなわち、この場合に、連絡先抽出部３１は、連絡先記憶手段４，１８に記憶された前記連絡先対応住所の件数が所定件数よりも少ない場合に、前記自車位置該当郵便番号抽出手段によって抽出された前記自車位置該当郵便番号を、連絡先記憶手段４，１８に記憶された前記連絡先対応郵便番号と比較する。そして、この比較により、連絡先抽出部３１は、連絡先記憶手段４，１８に記憶された連絡先の中から、前記自車位置該当郵便番号と一致する前記連絡先対応郵便番号に対応する連絡先である第４の連絡先を抽出する。そして、連絡先描画制御部３２は、連絡先抽出部３１によって前記第４の連絡先が抽出された場合には、連絡先抽出部３１に対して前記第４の連絡先を優先的に表示するための制御を行う。この制御は、抽出された前記第４の連絡先のみを限定的に表示するための制御であってもよい。そして、このような前記第４の連絡先を優先的に表示するための制御により、連絡先描画部２５は、連絡先描画部２５によって抽出された前記第４の連絡先を優先的に表示する。これにより、連絡先記憶手段４，１８に記憶されている前記連絡先対応住所の件数が少ない場合には、自車位置と郵便番号が一致する前記第４の連絡先を表示することができるので、自車位置の近くに住所を有する所望の連絡相手への連絡を簡便かつ迅速に行うことができる。
【００５５】
次に、本実施形態の作用の一例について説明する。
【００５６】
本実施形態においては、まず、図５のステップ１（ＳＴ１）において、車載器本体２のハンズフリー通話装置の機能を起動するための操作を行う。この操作は、例えば、図示はしないが、ＣＰＵ１５によって表示された大メニューの中からの電話メニューを選択する操作ボタンの押し下げ、ＣＰＵ１５によって表示されたナビゲーション用の画面上に表示されたハンズフリー通話メニューボタンの押し下げまたは自車両のハンドルに配設されたハンズフリー通話メニューボタンの押し下げ等の公知の種々の操作であればよい。
【００５７】
次いで、ステップ２（ＳＴ２）において、ＣＰＵ１５により、ステップ２（ＳＴ２）に示すような電話メニュー画面３４をディスプレイ１０に表示する。この電話メニュー画面３４には、連絡先の表示方法を選択するための操作ボタン３４ａ，３４ｂ，３４ｃが、入力操作部８によって択一的に操作可能な状態で表示されており、これらの操作ボタン３４ａ，３４ｂ，３４ｃのうちの１つ３４ｃは、自車位置の近くに住所を有する電話帳に登録された連絡相手の連絡先を表示する旨の表示方法を選択するための操作ボタン３４ｃとされている。この操作ボタン３４ｃは、「電話帳から近くの人を表示」という操作内容が表記されたボタンであってもよい。そして、本実施形態においては、入力操作部８を用いてこの操作ボタン３４ｃを操作する。なお、他の操作ボタン３４ａ，３４ｂは、例えば、５０音順で連絡相手の連絡先を表示する等の表示方法を選択可能なボタンであってもよい。
【００５８】
次いで、ステップ３（ＳＴ３）において、ＣＰＵ１５により、ステップ３（ＳＴ３）に示すような電話帳選択画面３５をディスプレイ１０に表示する。この電話帳選択画面３５には、表示する連絡先が登録されている電話帳を選択するための操作ボタン３５ａ，３５ｂが、入力操作部８によって択一的に操作可能な状態で表示されている。これらの操作ボタン３５ａ，３５ｂのうちの１つ３５ａは、携帯電話機３（メモリ４）内の電話帳を選択するための操作ボタン３５ａとされ、他の操作ボタン３５ｂは、車載器本体２（ハードディスクドライブ１８）内の電話帳を選択するための操作ボタン３５ｂとされている。そして、本実施形態においては、入力操作部８を用いて携帯電話機３内の電話帳を選択するための操作ボタン３５ａを操作する。
【００５９】
次いで、ステップ４（ＳＴ４）において、連絡先抽出部３１により、携帯電話機機３のメモリ４から前記第１の連絡先を前述した手法によって抽出する。このとき、抽出された前記第１の連絡先の件数が所定件数よりも多くなる場合には、連絡先抽出部３１は、前記第１の連絡先の中から前記第２の連絡先を前述した手法によって抽出してもよい。また、このとき、メモリ４に記憶された前記連絡先対応住所の件数が所定件数よりも少ない場合には、連絡先抽出部３１は、メモリ４から前記第１の連絡先の替わりに前記第４の連絡先を前述した手法によって抽出してもよい。
【００６０】
次いで、ステップ５（ＳＴ５）において、連絡先描画制御部３２により、連絡先描画部２５に対して、ステップ４（ＳＴ４）において抽出された前記第１の連絡先（ただし、前記第２の連絡先が抽出された場合には前記第２の連絡先、前記第４の連絡先が抽出された場合には前記第４の連絡先）を優先的に表示するための制御を行う。
【００６１】
次いで、ステップ６（ＳＴ６）において、連絡先描画部２５により、ステップ５（ＳＴ５）における連絡先描画制御部３２の制御にしたがった連絡先の優先的な表示を、連絡先のリスト画面２６の表示によって行う。このリスト画面２６には、図４に示したものと同様に、優先的に表示された連絡先として、連絡相手の電話番号を示す項目２６ａおよび連絡相手のメールアドレスを示す項目２６ｂが、連絡相手の名称と対応した状態で表示されており、これらの項目２６ａ，２６ｂは、入力操作部８を用いて択一的に選択可能とされている。さらに、このリスト画面２６には、前記第３の連絡先の優先的な表示を指示するための操作ボタン（以下、広域指示ボタンと称する）２７が表示されている。なお、このステップ６（ＳＴ６）のリスト画面２６上に、ステップ３（ＳＴ３）の電話帳選択画面３５に戻るための操作ボタンを表示してもよい。
【００６２】
そして、このステップ６（ＳＴ６）のリスト画面２６において、所望の連絡相手の電話番号を示す項目２６ａが選択された場合にはステップ７（ＳＴ７）に進み、所望の連絡相手のメールアドレスを示す項目２６ｂが選択された場合にはステップ８（ＳＴ８）に進み、広域指示ボタン２７が選択された場合にはステップ９（ＳＴ９）に進む。
【００６３】
次いで、ステップ７（ＳＴ７）においては、ハンズフリー通話処理部２７により、ステップ６（ＳＴ６）において選択された電話番号への発信を行うとともに、ステップ７（ＳＴ７）に示すような電話コール画面３６をディスプレイ１０に表示する。
【００６４】
一方、ステップ８（ＳＴ８）においては、メール送受信処理部２８により、ステップ８（ＳＴ８）に示すようなメール作成画面３７をディスプレイ１０に表示する。メール送受信処理部２８は、このメール作成画面３７において前述した短文の選択操作等によって作成された電子メールを、ステップ６（ＳＴ６）において選択されたメールアドレスに送信する。
【００６５】
また、ステップ９（ＳＴ９）においては、連絡先抽出部３１により、メモリ４から前記第３の連絡先を前述した手法によって抽出してステップ１０（ＳＴ１０）に進む。
【００６６】
次いで、ステップ１０（ＳＴ１０）において、連絡先描画制御部３２により、連絡先描画部２５に対して、ステップ９（ＳＴ９）において抽出された前記第３の連絡先を優先的に表示するための制御を行ってステップ１１（ＳＴ１１）に進む。
【００６７】
次いで、ステップ１１（ＳＴ１１）において、連絡先描画部２５により、ステップ１０（ＳＴ１０）における連絡先描画制御部３２の制御にしたがって前記第３の連絡先を優先的に表示する。このとき、連絡先描画部２５は、ステップ１１（ＳＴ１１）に示すようなリスト画面２６をディスプレイ１０に表示する。このステップ１１（ＳＴ１１）におけるリスト画面２６は、広域指示ボタン２７がないこと以外は基本的な画面構成がステップ６（ＳＴ６）と同様である。このステップ１１（ＳＴ１１）のリスト画面２６に対する操作結果は、ステップ７（ＳＴ７）またはステップ８（ＳＴ８）と同様である。
【００６８】
なお、ステップ３（ＳＴ３）において車載器本体２内の電話帳を選択する操作ボタン３５ｂが操作された場合にも、車載器本体２内の電話帳に登録された連絡先について、ステップ４（ＳＴ４）からステップ１１（ＳＴ１１）に示した工程を経ることができる。
【００６９】
以上述べたように、本発明によれば、連絡先描画制御部３２の制御により、連絡先描画部２５によって前記第１の連絡先を優先的に表示することができるので、自車位置の近辺に住所を有する所望の連絡相手への連絡を簡便かつ迅速に行うことができ、利便性および運転の安全性を向上させることができる。
【００７０】
なお、本発明は、以上の構成に限定されるものではなく必要に応じて種々変更することが可能である。
【００７１】
例えば、連絡先描画部２５によって表示される連絡先は、必ずしもメールアドレスを含む必要はなく、電話番号のみであってもよい。
【００７２】
また、連絡先抽出部３１は、前記第２の連絡先を抽出する場合に、抽出される前記第２の連絡先の件数が所定件数以下となるまで前記第２の連絡先の抽出を繰り返すようにしてもよい。その場合には、前記第２の連絡先の抽出回数が増すごとに、抽出されるべき前記第２の連絡先に対応する連絡相手が自車位置のより近くの領域内に住所を有するとみなされるか否かについての判断基準を引き上げるようにすればよい。具体的には、前記第２の連絡先の抽出回数が増すごとに、前記第２の連絡先を抽出する際の基準となる前記第２の程度を高めるようにすればよい。
【符号の説明】
【００７３】
１  車載用通信装置
３  携帯電話機
４  メモリ
１８  ハードディスクドライブ
２５  連絡先描画部
２７  ハンズフリー通話処理部
２８  メール送受信処理部
３０  自車位置該当住所抽出部
３１  連絡先抽出部
３２  連絡先描画制御部
【図１】
2010288195.tif 000003
【図２】
2010288195.tif 000004
【図３】
2010288195.tif 000005
【図４】
2010288195.tif 000006
【図５】
2010288195.tif 000007